(57)【要約】      （修正有）【課題】使用時に繰り返し受けるコア材の変形により、コア材の中央付近で交叉する上糸と下糸の緩みが生じるため、糸による補強が不十分となり、耐久性を確保することが可能なブレードの提供。【解決手段】ブレード１は、コア部材２と、コア部材の前面側に形成される前面側本体部材５と、コア部材の後面側に形成される後面側本体部材７と、を備え、前面側本体部材の表面に形成される第１の補強糸９と、後面側本体部材の表面に形成される第２の補強糸１０と、コア部材、前面側本体部材及び後面側本体部材を共に貫通する複数の貫通孔１１と、を備え、第１の補強糸と、第２の補強糸とは、複数の貫通孔の各貫通孔内の、貫通孔の高さ方向でみて、コア部材の前面側からコア部材の約３分の１の範囲の位置又はコア部材の後面側から該コア部材の約３分の１の範囲の位置で、交叉するよう構成される。【選択図】図１
2019177085.tif 000002
【特許請求の範囲】
【請求項１】
コア部材と、該コア部材の前面側に形成される前面側本体部材と、該コア部材の後面側に形成される後面側本体部材と、を備えるブレードであって、
前記前面側本体部材の表面に形成される第１の補強糸と、前記後面側本体部材の表面に形成される第２の補強糸と、前記コア部材、前記前面側本体部材及び後面側本体部材を共に貫通する複数の貫通孔と、を備え、前記第１の補強糸と、前記第２の補強糸とは、前記複数の貫通孔の各貫通孔内の、該貫通孔の高さ方向でみて、前記コア部材の前面側から該コア部材の約３分の１の範囲の位置又は前記コア部材の後面側から該コア部材の約３分の１の範囲の位置で、交叉するよう構成されることを特徴とする、ブレード。
【請求項２】
前記ブレードは、ホッケーに用いられる、請求項１に記載のブレード。
【請求項３】
前記第１の補強糸又は前記第２の補強糸は、前記各貫通孔内の、該貫通孔の高さ方向でみて、前記コア部材の前記約３分の１の範囲の位置以外の位置では、略直線状に形成されている、請求項１又は２に記載のブレード。
【請求項４】
前記第１の補強糸及び前記第２の補強糸は、熱硬化性樹脂が含浸されている、請求項１から請求項３のいずれか１項に記載のブレード。
【請求項５】
前記第１の補強糸及び前記第２の補強糸は、前記各貫通孔内の、該貫通孔の高さ方向でみて、前記前面側本体部材及び後面側本体部材の位置では、略直線状に形成されている、請求項１から請求項４のいずれか１項に記載のブレード。
【請求項６】
前記第１の補強糸及び前記第２の補強糸は、前記各貫通孔内の、該貫通孔の高さ方向でみて、前記前面側本体部材及び後面側本体部材の位置では、２本の第１の補強糸及び第２の補強糸がそれぞれ略直線状に形成されている、請求項５に記載のブレード。
【請求項７】
前記第１の補強糸は、前記第２の補強糸よりも糸強度が大きい、請求項１から６までのいずれか１項に記載のブレード。
【請求項８】
前記第１の補強糸は、前記第２の補強糸よりも線密度が大きい、請求項１から７までのいずれか１項に記載のブレード。
【請求項９】
前記貫通孔は、ブレードの表面の内、負荷がより高い領域ではより密に形成されている、請求項１から８までのいずれか１項に記載のブレード。
【請求項１０】
コア部材と、該コア部材の前面側に形成される前面側本体部材と、該コア部材の後面側に形成される後面側本体部材と、を備えるブレードであって、
前記前面側本体部材の表面に形成される第１の補強糸と、前記後面側本体部材の表面に形成される第２の補強糸と、前記コア部材、前記前面側本体部材及び後面側本体部材を共に貫通する複数の貫通孔と、を備え、前記第１の補強糸と、前記第２の補強糸とは、前記複数の貫通孔の各貫通孔内の、該貫通孔の高さ方向でみて、前記前面側本体部材又は後面側本体部材の位置で、交叉するよう構成されることを特徴とする、ブレード。
【発明の詳細な説明】
【技術分野】
【０００１】
本発明は、競技用スティックのブレード、例えば、アイスホッケーやフィールドホッケーなどのスティックに使用されるブレードに関する。
【背景技術】
【０００２】
ホッケーのスティックの構造として、シャフトとブレードからなる様々な構成を有するものが知られている。
【０００３】
このようなスティックのブレードでは、中心部材（コア材などという）にカーボンを巻回したものが知られている。
【０００４】
このようなブレードとして、例えば、特許文献１では、コア材の周囲にカーボンをコア材の表面に巻回し、これらを上糸と下糸でコア材の中心付近で交叉させる
構成を備えるブレードが開示されている。
【先行技術文献】
【特許文献】
【０００５】
【特許文献１】米国特許第５７４１５７４号公報
【発明の概要】
【発明が解決しようとする課題】
【０００６】
しかしながら、特許文献１に係る方法では、糸の交叉点をブレードの内側に配置し、糸抜けを防止しやすい構成であるものの、使用時に繰り返し受けるコア材の変形により、コア材の中央付近で交叉する上糸と下糸の緩みが生じるため、糸による補強が不十分となり、耐久性を確保することが難しいという問題があった。
【０００７】
本発明は上記の事情に鑑みてなされたものであり、その目的とするところは、補強糸の交叉領域を、コア部材の中央領域以外の所定の領域とすることで、使用時にコア部材が変形した場合にあっても、当該交叉領域における補強糸の緩みを低減し、補強糸をブレードの貫通孔において極力直線状とすることで、該補強糸における補強力を向上ならしめ、これにより耐久性を向上させることにある。本発明のこれら以外の目的は、本明細書全体を参照することにより明らかとなる。
【課題を解決するための手段】
【０００８】
本発明の一実施形態に係るブレードは、コア部材と、該コア部材の前面側に形成される前面側本体部材と、該コア部材の後面側に形成される後面側本体部材と、を備え、前記前面側本体部材の表面に形成される第１の補強糸と、前記後面側本体部材の表面に形成される第２の補強糸と、前記コア部材、前記前面側本体部材及び後面側本体部材を共に貫通する複数の貫通孔と、を備え、前記第１の補強糸と、前記第２の補強糸とは、前記複数の貫通孔の各貫通孔内の、該貫通孔の高さ方向でみて、前記コア部材の前面側から該コア部材の約３分の１の範囲の位置又は前記コア部材の後面側から該コア部材の約３分の１の範囲の位置で、交叉するよう構成される。
【０００９】
本発明の一実施形態に係るブレードは、ホッケーに用いられる。
【００１０】
本発明の一実施形態に係るブレードにおける第１の補強糸又は第２の補強糸は、前記各貫通孔内の、該貫通孔の高さ方向でみて、前記コア部材の前記約３分の１の範囲の位置以外の位置では、略直線状に形成されている。
【００１１】
本発明の一実施形態に係るブレードにおける第１の補強糸及び第２の補強糸は、熱硬化性樹脂が含浸されている。
【００１２】
本発明の一実施形態に係るブレードにおける第１の補強糸及び第２の補強糸は、前記各貫通孔内の、該貫通孔の高さ方向でみて、前記前面側本体部材及び後面側本体部材の位置では、略直線状に形成されている。
【００１３】
本発明の一実施形態に係るブレードにおける第１の補強糸及び第２の補強糸は、前記各貫通孔内の、該貫通孔の高さ方向でみて、前記前面側本体部材及び後面側本体部材の位置では、２本の第１の補強糸及び第２の補強糸がそれぞれ略直線状に形成されている。
【００１４】
本発明の一実施形態に係るブレードにおける第１の補強糸は、第２の補強糸よりも糸強度が大きい。本発明の一実施形態に係るブレードにおける第１の補強糸は、第２の補強糸よりも線密度が大きい。
【００１５】
本発明の一実施形態に係るブレードにおいて、前記貫通孔は、ブレードの表面の内、負荷がより高い領域ではより密に形成されている。
【００１６】
本発明の一実施形態に係るブレードは、コア部材と、該コア部材の前面側に形成される前面側本体部材と、該コア部材の後面側に形成される後面側本体部材と、を備え、前記前面側本体部材の表面に形成される第１の補強糸と、前記後面側本体部材の表面に形成される第２の補強糸と、前記コア部材、前記前面側本体部材及び後面側本体部材を共に貫通する複数の貫通孔と、を備え、前記第１の補強糸と、前記第２の補強糸とは、前記複数の貫通孔の各貫通孔内の、該貫通孔の高さ方向でみて、前記前面側本体部材又は後面側本体部材の位置で、交叉するよう構成される。
【発明の効果】
【００１７】
上記実施形態によれば、補強糸の交叉領域を、コア部材の中央領域以外の所定の領域とすることで、使用時にコア部材が変形した場合にあっても、当該交叉領域における補強糸の緩みを低減し、補強糸をブレードの貫通孔において極力直線状とすることで、該補強糸における補強力を向上ならしめ、これにより耐久性を向上させることが可能となる。
【図面の簡単な説明】
【００１８】
【図１】本発明の一実施形態に係るブレードの一部を拡大した断面図である。
【図２】本発明の一実施形態に係るブレードの糸補強を示す図である。
【図３】本発明の一実施形態に係るブレードの糸補強を示す図である。
【図４】本発明の一実施形態に係るブレードの糸補強を示す図である。
【図５】本発明の一実施形態に係るブレードの糸補強を示す図である。
【図６】本発明の一実施形態に係るブレードの糸補強を示す図である。
【発明を実施するための形態】
【００１９】
以下、本発明に係るブレードの実施形態について、添付図面を参照しながら具体的に説明する。複数の図面において共通する構素には当該複数の図面を通じて同一の参照符号が付されている。各図面は、説明の便宜上、必ずしも正確な縮尺で記載されているとは限らない点に留意されたい。
【００２０】
本発明の一実施形態に係るブレードは、スポーツ競技のスティックに用いることができ、例えば、アイスホッケーやフィールドホッケーなどのスティックに使用することが可能である。
【００２１】
次に、図１は、本発明に係るブレード１の一実施形態を示す断面図である。図示のように、本発明の一実施形態に係るブレード１は、コア部材２と、該コア部材２の前面側３に形成される前面側本体部材５と、該コア部材２の後面側４に形成される後面側本体部材７と、を備え、前面側本体部材５の表面６に形成される第１の補強糸９と、前記後面側本体部材７の表面８に形成される第２の補強糸１０と、該コア部材２、該前面側本体部材５及び後面側本体部材７を共に貫通する複数の貫通孔１１と、を備え、該第１の補強糸９と、該第２の補強糸１０とは、該複数の貫通孔１１の各貫通孔１１内の、該貫通孔１１の高さ方向でみて、該コア部材２の前面側３から該コア部材２の約３分の１の範囲の位置又は該コア部材２の後面側４から該コア部材２の約３分の１の範囲の位置で、交叉するよう構成される。
【００２２】
これにより、補強糸の交叉領域を、コア部材の中央領域以外の所定の領域とすることで、使用時にコア部材が変形した場合にあっても、当該交叉領域における補強糸の緩みを低減し、補強糸をブレードの貫通孔において極力直線状とすることで、該補強糸における補強力を向上ならしめ、これにより耐久性を向上させることが可能となる。
【００２３】
本発明の一実施形態に係るブレード１におけるコア部材２は、PVC、PET、ポリメタクリルイミド、アクリル、バルサなどの材料を使用することができる。コア部材２に使用される材料は、比重０．０５ｇ／ｃｍ3―０．５ｇ／ｃｍ3のものを使用することができる。
【００２４】
本発明の一実施形態に係るブレード１における前面側本体部材５及び後面側本体部材７は、例えば、カーボン、ガラス、アラミドなどの材料を使用することができるが、繊維強化樹脂材料を適宜使用することができる。
【００２５】
また、図１に示す例では、コア部材２と、該コア部材２の前面側３に形成される前面側本体部材５と、該コア部材２の後面側４に形成される後面側本体部材７と、を備えるとしたが、当該「形成される」は、一方の部材が他方の部材の上に直接又は間接的に形成されることをいう。すなわち、上記例では、前面側本体部材５若しくは後面側本体部材７がコア部材２の上に直接形成されるか、その他の部材（一層若しくは複数の層からなる部材）が介在するような態様で形成されるよう構成されても構わない。また、前面側本体部材５、後面側本体部材７自体が、一層の態様だけでなく、複数の層から形成されていても構わない。
【００２６】
本発明の一実施形態に係るブレード１における第１の補強糸９、第２の補強糸１０は、カーボン、ガラス、アラミド、ボロン、ナイロン、ＳｉＣ、ポリエステル、ポリエチレン、金属、アクリル、撚糸、無撚糸、混紡糸などが想定されるが、これらに限られない。また、本発明の一実施形態に係るブレード１における第１の補強糸９、第２の補強糸１０は、予め熱硬化性樹脂が含浸されていてもよい。熱硬化性樹脂として、エポキシ樹脂、フェノール樹脂、不飽和ポリエステルなどが想定されるが、これらに限られない。また、本発明の一実施形態に係るブレード１における第１の補強糸９、第２の補強糸１０は、前面側本体部材５及び後面側本体部材７の樹脂の少なくとも一部が含浸されるようにしても構わない。
【００２７】
本発明の一実施形態に係るブレード１における第１の補強糸又は９第２の補強糸１０は、各貫通孔１１内の、該貫通孔１１の高さ方向でみて、コア部材２の約３分の１の範囲の位置以外の位置では、略直線状に形成されている。ここで、貫通孔１１の径（Ａ）は、０．３ｍｍ−３．０ｍｍ程度に形成される。コア部材２の厚さ（Ｂ）は、２ｍｍ−１０ｍｍ程度であるため、コア部材２の約３分の１の範囲（Ｃ）とは、約０．７ｍｍ−３．３ｍｍ程度となる。本発明の一実施形態に係るブレード１における第１の補強糸９と第２の補強糸１０とが交叉する位置（相対位置Ｄ）は、前面側本体部材５又は後面側本体部材７の表面の第１の補強糸９又は第２の補強糸１０の位置よりも、０．２ｍｍ−０．５ｍｍ程度内側に形成される。
【００２８】
本発明の一実施形態に係るブレード１における第１の補強糸９及び第２の補強糸１０は、各貫通孔１１内の、該貫通孔１１の高さ方向でみて、前面側本体部材５及び後面側本体部材７の位置では、略直線状に形成されている。
【００２９】
本発明の一実施形態に係るブレード１における第１の補強糸９及び第２の補強糸１０は、各貫通孔１１内の、該貫通孔１１の高さ方向でみて、前面側本体部材５及び後面側本体部材７の位置では、２本の第１の補強糸９及び第２の補強糸１０がそれぞれ略直線状に形成されている。
【００３０】
本発明の一実施形態に係るブレード１における第１の補強糸９と第２の補強糸１０とは同種の糸材料であってもよいし、異種の糸材料であっても構わない。また、本発明の一実施形態に係るブレード１における第１の補強糸９と第２の補強糸１０とは同一（略同一も含む）の太さに形成してもよいし、異なる太さに形成しても構わない。
【００３１】
本発明の一実施形態に係るブレード１における第１の補強糸９は、第２の補強糸１０よりも糸強度を大きく形成することができる。また、本発明の一実施形態に係るブレード１における第１の補強糸９は、第２の補強糸１０よりも線密度を大きく形成することができる。第１の補強糸９は、成形品の厚み方向に対する補強の主の補強糸であり、第２の補強糸１０は補助材料とすることができるため、より軽量な糸を選択してもよく、成形品全体の軽量化に資する。これらの補強糸による補強効果は、成形品の厚み方向の引張、圧縮、せん断に対するものであり、特に成形品が変形を受けると、厚み中心付近のコア部材には高いせん断ひずみが発生するが、補強糸が存在するため、十分な強度を確保しやすくなる。
【００３２】
本発明の別の実施形態に係るブレード１は、コア部材と、該コア部材の前面側に形成される前面側本体部材と、該コア部材の後面側に形成される後面側本体部材と、を備え、前記前面側本体部材の表面に形成される第１の補強糸と、前記後面側本体部材の表面に形成される第２の補強糸と、前記コア部材、前記前面側本体部材及び後面側本体部材を共に貫通する複数の貫通孔と、を備え、前記第１の補強糸と、前記第２の補強糸とは、前記複数の貫通孔の各貫通孔内の、該貫通孔の高さ方向でみて、前記前面側本体部材又は後面側本体部材の位置で、交叉するよう構成される。
【００３３】
これにより、補強糸の交叉領域を、コア部材以外の前面側本体部材又は後面側本体部材の領域とすることで、使用時にコア部材が変形した場合にあっても、当該交叉領域における補強糸の緩みを低減し、補強糸をブレードの貫通孔において極力直線状とすることで、該補強糸における補強力を向上ならしめ、これにより耐久性を向上させることが可能となる。
【００３４】
次に、図２に、図１における糸補強の態様をブレード表面全体でみた糸補強２０の態様を示す。図２では、ブレード１の表面に第１の補強糸９が形成された様子が示されている。図示のように、ブレード１の表面には、第１の補強糸９が螺旋状に形成されている。図示の例では、この螺旋状の糸補強２０全体の幅（Ｅ）は、約２５０ｍｍに形成されている。第１の補強糸９は、３ｍｍ−２０ｍｍのピッチ（補強糸の進行方向に沿った２つの貫通孔間の間隔）で、３−１０列程度ブレード１の表面に形成することができる。
【００３５】
図２の紙面の中央よりも左側の領域（Ｘ）における面密度は、同図の紙面の中央よりも右側の領域（Ｙ）における面密度と異なるように形成することができる。この場合、右側の領域（Ｙ）における面密度は、左側の領域（Ｘ）における面密度よりも大きく形成され、例えば、１．３−３倍程度とすることができる。また、右側の領域（Ｙ）における面密度は、０．００２−０．０５孔数／ｍｍ2とすることができる。ここで、面密度とは、単位面積ｍｍ2あたりの（第１の補強糸９が配置される）貫通孔１１の孔の数と定義される。貫通孔１１は、ブレード１の表面の内、負荷がより高い領域ではより密に形成するように構成することができる。これにより、負荷が高い場所における該補強糸における補強力をさらに向上ならしめ、耐久性をより向上させることが可能となる。
【００３６】
図３ないし６に、図１における糸補強２０の態様をブレード表面全体でみた糸補強の別の態様を示す。図３に示す態様では、複数の糸補強２０がブレード１の長手方向に直線状に形成されており、中央領域の糸補強２０の長さが最も長く、外側に向かうに従って、糸補強２０の長さが短く形成されている。これにより、負荷が高い場所における該補強糸における補強力をさらに向上ならしめ、耐久性をより向上させることが可能となる。
【００３７】
図４に示す態様では、糸補強２０が図２における態様とは対称に形成されている。これにより、図２における態様と同様に、負荷が高い場所における該補強糸における補強力をさらに向上ならしめ、耐久性をより向上させることが可能となる。
【００３８】
図５に示す態様では、複数の糸補強２０がブレード１の長手方向に垂直に直線状に形成されている。これにより、負荷が高い場所における該補強糸における補強力をさらに向上ならしめ、耐久性をより向上させることが可能となる。
【００３９】
図６に示す態様では、糸補強２０がブレード１の長手方向にジグザグ状に形成されている。これにより、負荷が高い場所における該補強糸における補強力をさらに向上ならしめ、耐久性をより向上させることが可能となる。
【００４０】
図２−６に示す各糸補強２０の態様は、例示にすぎず、その他の糸補強２０の態様を適宜採用することができる。また、ブレード１の表面における糸補強２０全体の幅（Ｅ）は、負荷の領域や程度に合わせて適宜設定することができる。また、ブレード１の表面における第１の補強糸９のピッチや糸補強２０の列の数は、負荷の領域や程度に合わせて適宜設定することができる。これにより、負荷が高い場所における該補強糸における補強力をさらに向上ならしめ、耐久性をより向上させることが可能となる。
【００４１】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００４２】
１  ブレード
２  コア部材
３  前面側
４  後面側
５  前面側本体部材
６  表面
７  後前面側本体部材
８  表面
９  第１の補強糸
１０  第２の補強糸
１１  貫通孔
２０  糸補強
【図１】
2019177085.tif 000003
【図２】
2019177085.tif 000004
【図３】
2019177085.tif 000005
【図４】
2019177085.tif 000006
【図５】
2019177085.tif 000007
【図６】
2019177085.tif 000008